(57)【要約】【課題】反射音の低減が図れると共に意匠性が高い天井を提供する。【解決手段】  吸音材３の下に配置する一方の天井材１８と他方の天井材１９を備え、一方の天井材１８と他方の天井材１９とは、長尺材であり且つ左右方向に間隔をおいて配置してあり、各々左右に互いに対向する側部１８ｂ、１９ｂを有し、各側部１８ｂ、１９ｂは上下方向の傾斜面を有し、互いに対向する傾斜面が同じ向きに傾斜しており、隣り合う天井材１８、１９は、下から見たときに隣り合う側部１８ｂ、１９ｂが重なり合って吸音材３を隠している。【選択図】図１
2014005720.tif 000002
【特許請求の範囲】
【請求項１】
吸音材の下に配置する複数の天井材を備え、各天井材は左右に上下方向の傾斜面を有する一方の長尺材と、左側に一方の長尺材の右側の傾斜面と同じ向きの傾斜面と、右側に一方の長尺材の左側の傾斜面と同じ向きの傾斜面を有する他方の長尺材であり、一方の長尺材と他方の長尺材を交互に間隔をおいて配置してあり、隣り合う天井材は、下から見たときに隣り合う側が重なり合って吸音材を隠していることを特徴とする天井。
【請求項２】
吸音材の下に配置する複数の天井材を備え、各天井材は縦断面が三角形状の長尺材であり、三角形の頂点を上向きにした天井材と下向きにした天井材を交互に間隔をおいて配置してあり、隣り合う天井材は、下から見たときに隣り合う側が重なり合って吸音材を隠していることを特徴とする天井。
【請求項３】
吸音材の下に配置する複数の天井材を備え、各天井材は縦断面がＶ字形状の長尺材であり、Ｖ字の頂点を上向きにした天井材と下向きにした天井材を交互に間隔をおいて配置してあり、隣り合う天井材は、下から見たときに隣り合う側が重なり合って吸音材を隠していることを特徴とする天井。
【請求項４】
吸音材の下に配置する複数の天井材を備え、天井材は縦断面がＶ字形状の長尺材と、縦断面が三角形状の長尺材であり、縦断面がＶ字形状の天井材と三角形状の天井材とを交互に間隔をおいて配置してあり且つＶ字の頂点と三角形の頂点を交互に上向きと下向きにしてあり、隣り合う天井材は、下から見たときに隣り合う側が重なり合って吸音材を隠していることを特徴とする天井。
【請求項５】
吸音材の下に配置する複数の天井材を備え、天井材は縦断面がくの字形状の凹面を左右に有する長尺材と、縦断面がくの字形状の凸面を左右に有する長尺材とであり、左右に凹面を有する天井材と左右に凸面を有する天井材とを左右方向に交互に間隔をおいて配置してあり、隣り合う天井材は、下から見たときに隣り合う側が重なり合って吸音材を隠していることを特徴とする天井。
【発明の詳細な説明】
【技術分野】
【０００１】
本発明は、天井に関する。
【背景技術】
【０００２】
特許文献１には、断熱性能と吸音性能を有する断熱材（吸音材）の下面をパンチングパネルで覆った天井が開示されている。
一方、鉄道の駅や空港等で人が集まる場所（コンコース）において、案内放送（例えば駅の構内放送）が反射音により聞こえ難くなることを防止するため、特許文献１のように天井材にパンチングパネルを設けることが公知である。
【先行技術文献】
【特許文献】
【０００３】
【特許文献１】特開２００８−９５３５４号公報
【発明の概要】
【発明が解決しようとする課題】
【０００４】
しかし、パンチングパネルは下から見るとパンチングパネルの孔から吸音材が見え、意匠性に劣るという問題がある。
【０００５】
そこで、本発明は、反射音の低減が図れると共に意匠性が高い天井の提供を目的とする。
【課題を解決するための手段】
【０００６】
請求項１に記載の発明は、吸音材の下に配置する複数の天井材を備え、各天井材は左右に上下方向の傾斜面を有する一方の長尺材と、左側に一方の長尺材の右側の傾斜面と同じ向きの傾斜面と、右側に一方の長尺材の左側の傾斜面と同じ向きの傾斜面を有する他方の長尺材であり、一方の長尺材と他方の長尺材を交互に間隔をおいて配置してあり、隣り合う天井材は、下から見たときに隣り合う側が重なり合って吸音材を隠していることを特徴とする天井である。
【０００７】
請求項２に記載の発明は、吸音材の下に配置する複数の天井材を備え、各天井材は縦断面が三角形状の長尺材であり、三角形の頂点を上向きにした天井材と下向きにした天井材を交互に間隔をおいて配置してあり、隣り合う天井材は、下から見たときに隣り合う側が重なり合って吸音材を隠していることを特徴とする天井である。
【０００８】
請求項３に記載の発明は、吸音材の下に配置する複数の天井材を備え、各天井材は縦断面がＶ字形状の長尺材であり、Ｖ字の頂点を上向きにした天井材と下向きにした天井材を交互に間隔をおいて配置してあり、隣り合う天井材は、下から見たときに隣り合う側が重なり合って吸音材を隠していることを特徴とする天井である。
【０００９】
請求項４に記載の発明は、吸音材の下に配置する複数の天井材を備え、天井材は縦断面がＶ字形状の長尺材と、縦断面が三角形状の長尺材であり、縦断面がＶ字形状の天井材と三角形状の天井材とを交互に間隔をおいて配置してあり且つＶ字の頂点と三角形の頂点を交互に上向きと下向きにしてあり、隣り合う天井材は、下から見たときに隣り合う側が重なり合って吸音材を隠していることを特徴とする天井である。
【００１０】
請求項５に記載の発明は、吸音材の下に配置する複数の天井材を備え、天井材は縦断面がくの字形状の凹面を左右に有する長尺材と、縦断面がくの字形状の凸面を左右に有する長尺材とであり、左右に凹面を有する天井材と左右に凸面を有する天井材とを左右方向に交互に間隔をおいて配置してあり、隣り合う天井材は、下から見たときに隣り合う側が重なり合って吸音材を隠していることを特徴とする天井。
【発明の効果】
【００１１】
請求項１〜５に記載の発明によれば、隣り合う天井材間に形成される空間から音の空気振動を吸音材に案内して、反射音の低減を図ることができる。
隣り合う天井材は下から見たときに隣り合う側が重なりあって吸音材を隠しているので、下から見たときに吸音材が見えないので、意匠性が高い。
縦断面が三角形状やＶ字形状の天井材を、頂点を下向きと上向きにしたものを交互に配置したり、左右の天井材が互いに隣り合う傾斜面を同じ向きに傾斜したり、左右にくの字状の凹面を有する天井材と左右にくの字状の凸面を有する天井材を隣り合うように配置することにより、天井を下から見たときに従来にない意匠を得ることができる。
【図面の簡単な説明】
【００１２】
【図１】本発明の第１実施の形態にかかる天井及びその裏側の図であって、図３のＡ部を拡大して示す断面図である。
【図２】本発明の第１実施の形態にかかる天井及びその裏側の図であって、図４のＢ部を拡大して示す断面図である。
【図３】本発明の第１実施の形態にかかる天井及びその裏側を示す縦断面図である。
【図４】図３のＣ−Ｃ断面図である。
【図５】本発明の第２実施の形態にかかる天井及びその裏側を拡大して示す図であって、図１と略同じ位置で切断して示す断面図である。
【図６】本発明の第３実施の形態にかかる天井及びその裏側の図であって、図１と略同じ位置で切断して示す断面図である。
【図７】本発明の第４実施の形態にかかる天井及びその裏側の図であって、図１と略同じ位置で切断して示す断面図である。
【図８】本発明の第５実施の形態にかかる天井及びその裏側の図であって、図１と略同じ位置で切断して示す断面図である。
【図９】本発明の第５実施の形態にかかる天井及びその裏側の図であって、図８のＥ−Ｅ断面図である。
【図１０】本発明の第５実施の形態にかかる天井及びその裏側の図であって、天井材の取り付け方を示す断面図である。
【図１１】本発明の第６実施の形態にかかる天井及びその裏側の図であって、図１と略同じ位置で切断して示す断面図である。
【図１２】本発明の第６実施の形態にかかる天井及びその裏側の図であって、図１１のＦ−Ｆ断面図である。
【発明を実施するための形態】
【００１３】
以下に、添付図面を参照して本発明の実施の形態を説明するが、まず、図１〜図４を参照して本発明の第１実施の形態を説明する。第１実施の形態に係る天井１は、鉄道駅構内のコンコースの天井である。
図３及び図４に示すように、天井１の裏側（上側）には、吸音材３と、野縁５とが設けてあり、野縁５は躯体７との間に設けた支持構造体９に取り付けてある。
支持構造体９は、上端を躯体７に固定した吊ボルト１１と、吊ボルト１１の下端に固定したハンガー１３と、ハンガー１３に固定した野縁受け１７と、耐震ブレース１５とを備え、野縁受け１７に野縁５がボルト及びナットで固定してある。
吸音材３は、野縁５の上に配置してあり、例えば、ガラスクロスである。
図１に示すように、天井１は、吸音材３の下に配置した一方の天井材１８と、他方の天井材１９とを備えており、各天井材１８、１９は、各々野縁５の下面に取り付けてある。尚、図３では、天井１の天井材１８、１９を一部省略して示している。
【００１４】
一方の天井材１８と他方の天井材１９は、各々縦断面が略三角形状の長尺材であり、本実施の形態では、縦断面が二等辺三角形のアルミニウム製形材である。
一方の天井材１８は三角形の頂点１８ａを上向きにしてあり、他方の天井材１９は三角形の頂点１９ａを下向きにして交互に間隔をおいて配置してあり、縦断面において、下側には頂点と辺部とが交互に配置されている。即ち、一方の天井材１８は、左側部１８ｂと右側部１８ｆに上下方向の傾斜面を有し、他方の天井材１９は、左側部１９ｂに一方の天井材１８の右側部１８ｆの傾斜面と同じ向きの傾斜面を有し、右側部１９ｆに一方の天井材１８の左側部１８ｂの傾斜面と同じ向きの傾斜面を有している。また、互いに対向する側部１８ｆ、１９ｂ間の間隔及び１９ｆ、１８ｂ間の間隔は、上側程狭くしてある。
隣り合う一方の天井材１８と他方の天井材１９は、下から見たときに符号Ｈで示すように、隣り合う側部１８ｆ、１９ｂ及び１８ｂ、１９ｆが重なり合って吸音材３を隠している。
一方の天井材１８において、上向きにしてある頂点１８ａには、ボルト２３の頭２３ａをスライド可能に保持するボルト保持溝２５が設けてあり、ボルト２３の軸２３ｂを野縁５の下部にナット２７で固定している。また、一方の天井材１８の頂点１８ａには野縁５との間に防振ゴム２９が設けてある。
図２に示すように、長手方向で隣り合う一方の天井材１８、１８は互いにジョイントスリーブ３０で固定している。尚、図示していないが、長手方向で隣り合う他方の天井材１９、１９も、一方の天井材１８、１８と同様にジョイントスリーズ３０で互いに固定している。
図１に示すように、他方の天井材１９は、一方の天井材１８と同様に縦断面が二等辺三角形のアルミニウム製形材であるが、下向きの頂点１９ａの開き角度Ｒ２が一方の天井材１８の頂点１８ａの開き角度Ｒ１よりも大きくしてある。例えば、一方の天井材１８の頂点１８ａにおける開き角度Ｒ１は約５３度であり、他方の天井材１９の頂点１９ａにおける開き角度Ｒ２は約６７度である。
【００１５】
他方の天井材１９は、下向きの頂点１９ａに対向する辺部１９ｃには、縦断面Ｌ字形状の２つの係合部３１ａ、３１ｂが間隔をあけて形成されている。
他方の天井材１９と野縁５との間には、補助材３３が設けてあり、補助材３３は野縁５の下面にねじ３５で固定してある。尚、補助材３３の左右側端面３３ａは他方の天井材１９の側部１９ｂと一致した傾斜面にしてある。補助材３３の下面には縦断面Ｌ字形状の被係合部３７ａ、３７ｂが間隔をあけて形成してあり、補助材３３の被係合部３７ａ、３７ｂはＬ字を同方向に向けている。他方の天井材１９の係合部３１ａ、３１ｂも断面Ｌ字形状を成して、共にＬ字を同方向に向けている。そして、一方の被係合部３７ａには他方の天井材１９の係合部３１ａが、他方の被係合部３７ｂには他方の天井材１９の係合部３１ｂが係合している。
【００１６】
次に、第１実施の形態にかかる天井１の施工、作用効果について説明する。
図３及び図４に示すように、支持構造体９及び吸音材３を施工した後、支持構造体９の野縁受け１７に野縁５を取り付け、野縁５に一方の天井材１８と、他方の天井材１９を取り付ける補助材３３との位置決めをしておく。位置決めは、隣り合う一方の天井材１８と他方の天井材１９とにおいて、隣り合う側部１８ｆ、１９ｂ及び１８ｂ、１９ｆが、下から見たときに重なる位置としてある。
次に、図１及び図２に示すように、一方の天井材１８の頂点２１に設けたボルト係合溝２５にボルト２３の頭２３ａを係合して、ナット２７を締め付けることにより、一方の天井材１８を野縁５の下面に固定する。
他方の天井材１９の取り付けは、まず、野縁５の下面に補助材３３をねじ３５で固定する。次に、他方の天井材１９の頂点１９ａを下にして頂点１９ａに対向する辺部１９ｃを上にし、他方の天井材１９の一方の係合部３１ａを補助材３３の被係合３７ａに、他方の係合部３１ｂを補助材３３の被係合３７ｂに、他方の天井材１９を左右方向の一方からスライドして係合する。
【００１７】
この第１実施の形態によれば、図１に示すように、隣り合う天井材１８、１９間に形成される空間Ｓに入る音の空気振動は、矢印Ｔで示すように、隣り合う側部１８ｆ、１９ｂ及び１８ｂ、１９ｆ間で反射しながら吸音材３に案内し、吸音材３で吸音するので、構内アナウンス等の反射音の低減を図ることができる。
隣り合う天井材１８、１９は一方の天井材１８は、左側部１８ｂと右側部１８ｆに上下方向の傾斜面を有し、他方の天井材１９は、左側部１９ｂに一方の天井材１８の右側部１８ｆの傾斜面と同じ向きの傾斜面を有し、右側部１９ｆに一方の天井材１８の左側部１８ｂの傾斜面と同じ向きの傾斜面を有して隣り合う側部１８ｆ、１９ｂ及び１８ｂ、１９ｆが、矢印Ｈで示すように、下から見たときに重なりあって吸音材３が見えないので外観が良い。
一方の天井材１８は、左側部１８ｂと右側部１８ｆに上下方向の傾斜面を有し、他方の天井材１９は、左側部１９ｂに一方の天井材１８の右側部１８ｆの傾斜面と同じ向きの傾斜面を有し、右側部１９ｆに一方の天井材１８の左側部１８ｂの傾斜面と同じ向きの傾斜面を有していることにより、従来にない意匠を得ることができる。
また、一方及び他方の天井材１８、１９は、これらの下端を縦断面において頂点と辺とを交互に配置することによっても、従来にない意匠を得ることができ、意匠性を高めることができる。
【００１８】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図５に本発明の第２実施の形態を示す。第２実施の形態にかかる天井１は、一方の天井材１８及び他方の天井材１９に、縦断面がＶ字型形状をした形材を用い、一方の天井材１８はＶ字形状の頂点１８ａを上向きにし、他方の天井材１９はＶ字の頂点１９ａを下向きにして、一方の天井材１８と他方の天井材１９とを間隔をあけて交互に取り付けてある。
一方の天井材１８はＶ字の頂点１８ａを、防振ゴム２９を介してねじ４１で野縁５に下から固定してあり、Ｖ字の頂点１８ａの下側は、キャップ４３を嵌めてねじ４１の頭を隠してある。
他方の天井材１９は、Ｖ字の両側端部１９ｄ、１９ｄを各々ねじ４１で固定して、各端部１９ｄ、１９ｄにキャップ４３を嵌めてねじ４１の頭を隠してある。
この第２実施の形態では、一方の天井材１８のＶ字の角度Ｒ１は約５３度であり、他方の天井材１９のＶ字の角度Ｒ２は約９０度である。
この第２実施の形態においても、上述の第１実施の形態と同様の作用効果を得ることができる。
【００１９】
図６に本発明の第３実施の形態を示す。この第３実施の形態にかかる天井１は、一方の天井材１８に、縦断面がＶ字型形状をした形材を用い、他方の天井材１９に縦断面が三角形状の形材を用い、一方の天井材１８はＶ字形状の頂点１８ａを上向きにし、他方の天井材１９は三角形状の頂点１９ａを下向きにして、一方の天井材１８と他方の天井材１９とを間隔をあけて交互に取り付けてある。
尚、一方の天井材１８のＶ字の角度Ｒ１は約５３度であり、他方の天井材１９のＶ字の角度Ｒ２は約９０度である。
この第３実施の形態においても、上述の第１実施の形態と同様の作用効果を得ることができる。
【００２０】
図７に第４実施の形態を示す。この第４実施の形態にかかる天井１は、一方の天井材１８に縦断面が三角形状をした形材を用い、他方の天井材１９に縦断面がＶ字形状の形材を用い、一方の天井材１８は三角形状の頂点１８ａを上向きにし、他方の天井材１９はＶ字形状の頂点１９ａを下向きにして、一方の天井材１８と他方の天井材１９とを間隔をあけて交互に取り付けてある。
尚、一方の天井材１８のＶ字の角度Ｒ１は約５３度であり、他方の天井材１９のＶ字の角度Ｒ２は約９０度である。
この第４実施の形態においても、上述の第１実施の形態と同様の作用効果を得ることができる。
【００２１】
図８〜図１０に第５実施の形態を示す。図８に示すように、この第５実施の形態にかかる天井１では、上述した第１実施の形態に対して、一方の天井材１８と野縁５との間には、一方の補助材４５が設けてあると共に図８において一方の天井材１８の左側に位置する他方の天井材１９との間に外れ止め材４９が設けてある。尚、第５実施の形態の説明では、他方の天井材１９の補助材３３を「他方の補助材３３」とする。
一方の天井材１８は縦断面が略台形状を成しており、台形の上底には縦断面が略Ｌ字形状の係合部４７ａ、４７ｂが形成されている。一方の係合部４７ａは一方の天井材１８の左側部１８ｂからその傾斜に沿って上方に突出した突出部に形成してある。他方の係合部４７ｂは、一方の係合部４７ａと水平方向に間隔をあけて形成している。
一方の補助材４５は、ねじ５１で野縁５の下面に固定してあり、図８において左側面部４５ａの下端には一方の被係合部５３ａが形成されており、右側面部４５ｂの下端には他方の被係合部５３ｂが形成されている。
一方の天井材１８は、図８において左側から右側へスライドさせて一方の補助材４５に係合しており、他方の天井材１９は、他方の補助材３３に対して右側から左側へスライドさせて補助材３３に係合している。即ち、一方の天井材１８と他方の天井材１９とは互いに離れる方向にスライドさせることにより、対応する各補助材３３、４５も係合してある。
【００２２】
外れ止め材４９は、野縁固定部４９ａと、一方の天井材押さえ部４９ｂと、他方の天井材押さえ部４９ｃとを備えている。図９に示すように、外れ止め材４９は一方の天井材１８の長手方向に間隔をあけて配置されている。
野縁固定部４９ａは野縁５と一方の補助材４５とが形成するコーナ部にねじ５５を斜めに向けて止めてある。ねじ５５は本実施の形態では、一方の天井材１８の左側部１８ｂの傾斜に沿う方向で斜めに止めてある。
一方の天井材押さえ部４９ｂは、一方の天井材１８の右側部１８ｂの上端部と一方の補助材４５の左側面部４５ａとに対向して、一方の補助材４５に対して一方の天井材１８の係合が外れないように一方の天井材１８を押さえている。他方の天井材押さえ部４９ｃは、他方の天井材１９の右側部１９ｆの上端部と他方の補助材３３とに対向して、他方の補助材３３に対して他方の天井材１９の係合が外れないように他方の天井材１９を押さえている。
尚、第５実施の形態では、Ｒ１は約９０度であり、Ｒ２は約５３度である。
【００２３】
この第５実施の形態によれば、上述した第１実施の形態と同様の作用効果を奏することができる。
更に、第５実施の形態によれば、図１０に示すように、野縁５に一方の補助材４５と他方の補助材３３を取付けてから、一方の補助材４５に一方の天井材１８をスライド係合により取り付け、他方の補助材３３に他方の天井材１９をスライド係合により取付けているので、天井材１８、１９の施工が容易にできる。
図８に示すように、一方の天井材１８と他方の天井材１９とは１つの外れ止め材３９で、同時に外れを防止しているので、少ない部品数で天井材１８、１９の外れを防止できる。
外れ止め材４９は、一方の補助材４５と野縁５とのコーナ部に固定しているので、下から天井１を見たときに見え難く、外観が良い。特に、外れ止め材４９を固定するねじ５５を斜めにしてねじ込むことで、下から天井１を見上げたときにねじ５５の頭を目立たなくできる。
更に、互いに対向する側部１８ｆ、１９ｂ及び１８ｂ、１９ｆ間の間隔は、上側程狭くしてあるので、下から天井１を見上げたときに外れ止め材４９やねじ５５が見え難い。
【００２４】
図１１及び図１２に第６実施の形態を示す。図１１に示すように、この第６実施の形態にかかる天井１では、第５実施の形態に対して、一方の天井材１８及び他方の天井材１９の形状と、一方の補助材４５の形状と、外れ止め材４９の形状が異なっている。
一方の天井材１８は、左右の各側部１８ｂ、１８ｆが縦断面において左右にくの字形状で突出した形状になっており、左右に突出したくの字の頂点５９は、他方の天井材１９の対向する各側部１９ｂ、１９ｆの上端と下から見たときに略同じ位置に位置している。
他方の天井材１９は、縦断面において下面１９ｃを辺にしてあり、左右の側部１９ｂ、１９ｆが、縦断面でくの字形状に凹んだ形状になっており、一方の天井材１８の側部１８ｂ、１８ｆと略平行な、くの字形状としてある。くの字の頂点５７は下面１９ｃの左右端１９ｄ、１９ｄよりも内側に位置しており、側部１９ｂの上端１９ｇは下面１９ｃの左右端１９ｄ、１９ｄよりも外側に位置している。
他方の天井材１９の、くの字に凹んだ左側部１９ｂと隣り合う一方の天井材１８の、くの字に突出した右側部１８ｆ及び他方の天井材１９の、くの字に凹んだ右側部１９ｆと隣り合う一方の天井材１８の、くの字に突出した左側部１８ｂとは、両者の間隔が下から上へ向けて次第に狭くなっている。
図１１に示すように、縦断面において、一方の天井材１８の下端は頂点１８ａになっており、他方の天井材１９の下面１９ｃと一方の天井材１８の頂点１８ａが左右方向に交互に配置されている。
外れ止め材４９は、一方の補助材４５と他方の補助材３３との間に設けてあり、野縁固定部４９ａは野縁５と他方の補助材３３とが形成するコーナ部にねじ５５を斜めに向けて止めてある。この外れ止め材４９は、一方の天井押さえ部４９ｂと他方の天井押さえ部４９ｃとの間に野縁５の下面に当接する野縁５側に突設した野縁当接部４９ｄが形成されている。
尚、図１２に示すように、この第２実施の形態でも外れ止め材４９は一方の天井材１８の長手方向に間隔をあけて配置されている。
【００２５】
この第６実施の形態によれば、上述した第５実施の形態と同様の作用効果を奏することができる。
更に、下から天井を見たときに、図１１に矢印Ｍ、Ｎで示すように、左右斜めから見上げた場合でも、一方の天井材１８及び他方の天井材１９により、吸音材３の他に、外れ止め材４９及び外れ止め材４９を固定するねじ５５も見えなくでき、外観が良い。
一方の天井材１８の左側部１８ｂと隣り合う他方の天井材１９の右側部１９ｆ及び一方の天井材１８の右側部１８ｆと隣り合う他方の天井材１９の左側部１９ｂを共にくの字形状としているので、いままでにない特異な意匠を形成できる。
【００２６】
本発明は、上述した実施の形態に限らず、本発明の要旨を逸脱しない範囲で種々変形可能である。
例えば、吸音材３は、多孔質パネル、発泡樹脂材であっても良く、吸音材の種類は限定されない。
隣り合う一方及び他方の天井材１８、１９において、下から見たときに隣り合う側の重なりは、少なくとも隣り合う側の端が重なって見えれば良く、例えば隣り合う側部１８ｂや１９ｂの略半分重なって見えても良く、重なり幅は制限されない。
一方及び他方の天井材１８、１９は、アルミニウム製の形材に限らず、鋼材等であっても良く、材質は制限されない。
請求項２〜５の記載の発明では、天井材１８、１９は、寸法やＶ字の頂点の角度や三角形の角度が異なる他の種類の天井材を用いても良いし、一方の天井材１８と他方の天井材１９との２種類に限らず、３種類や４種類の天井材を用いても良い。また、一方の天井材１８と他方の天井材１９とでＶ字形状の形材を用いる場合には、寸法が同じ同一種類の形材を用いても良いし、同様に一方の天井材１８と他方の天井材１９とで三角形状の形材を用いる場合にも、寸法が同じ同一種類の形材を用いても良い。
【符号の説明】
【００２７】
１    天井
３    吸着材
１８  一方の天井材（一方の長尺材）
１８ａ  頂点
１８ｂ  左側部（左傾斜面、くの字の凸面）
１８ｆ  右側部（右傾斜面、くの字の凸面）
１９  他方の天井材（他方の長尺材）
１９ａ  頂点
１９ｂ  左側部（左傾斜面、くの字の凹面）
１９ｆ  右側部（右傾斜面、くの字の凹面）
【図１】
2014005720.tif 000003
【図２】
2014005720.tif 000004
【図３】
2014005720.tif 000005
【図４】
2014005720.tif 000006
【図５】
2014005720.tif 000007
【図６】
2014005720.tif 000008
【図７】
2014005720.tif 000009
【図８】
2014005720.tif 000010
【図９】
2014005720.tif 000011
【図１０】
2014005720.tif 000012
【図１１】
2014005720.tif 000013
【図１２】
2014005720.tif 000014